(57)【要約】      （修正有）【課題】ゴムホース等の長尺物を立体的に、かつ安全経済的に収容する棚を提供する。【解決手段】中空六角柱の複数のセル２を備え、その各セルの中に長尺物Ｈを収容可能なブロック３を１単位として、複数の前記単位を上下左右に複数個設置してなる収容棚であって、前記各ブロック３は上下方向に分割可能である。各ブロック３は、上方を開放した本体３１と、その本体を塞ぐ波形の蓋３２の２部品から形成されている。別の構成では、各ブロックが上下に正確に２分割され、つなぎ目に抜け止めを有する。【選択図】図４
2013047127.tif 000002
【特許請求の範囲】
【請求項１】
中空六角柱の複数のセル（２，２Ａ）を備え、その各セルの中に長尺物（Ｈ）を収容可能なブロック（３，３Ａ）を１単位として、複数の前記単位を上下左右に複数個設置してなる収容棚（１）であって、前記各ブロック（３，３Ａ）は上下方向に分割可能であることを特徴とする長尺物の収容棚。
【請求項２】
前記各ブロック（３）が、上方を開放した本体（３１）と、その本体を塞ぐ蓋の２部品から形成されており、前記蓋は、最上段ブロックにおいては波板状の蓋（３２）からなり、２段目以下は直近上段のブロックの底部が事実上の蓋（３５）となる請求項１記載の収容棚。
【請求項３】
前記各ブロック（３Ａ）が上下に正確に２分割され、つなぎ目に抜け止め（３３Ａ、３４Ａ）を有するものである請求項１記載の収容棚。
【請求項４】
前記ブロック（３，３Ａ）を横方向に並べたとき、前記ブロックの左右端のセル壁の幅をそれ以外のセル壁の幅よりも短くしておき、隣り合うセル（２，２Ａ）の中央から測定したセル間の距離はどこから測定しても同じになるようにした、請求項１ないし３のいずれかに記載の収容棚。
【請求項５】
複数の波板（４，４Ａ）を波底（４１，４１Ａ）同士が接触するように重ねて設置してなる収容棚であって、上下に広がった波板の波頭（４２，４２Ａ）同士により中空アーモンド型の複数のセル（２Ｂ，２Ｃ）が形成されており、この各セルの中に長尺物（Ｈ）が収容可能であることを特徴とする長尺物の収容棚。
【請求項６】
収容する長尺物が成形直後のゴムホースである請求項１ないし５の何れかに記載の収容棚。
【発明の詳細な説明】
【技術分野】
【０００１】
本発明は長尺物の収容棚に関する。この棚は、たとえば成形直後のゴムホースまたチューブ、長尺樹脂製品が変形・変質するのを防止する収容棚として使用可能であり、以下の説明でもゴムホースを例に取っている。しかし、その他一般に、多数の長尺物（たとえばビニールパイプ、ゴムチューブその他の押出成型品）を同時に一時収容する棚として使用可能である。
【背景技術】
【０００２】
成形直後のゴムホースは高温で柔らかいため、すぐに巻き取ると変形・変質しやすい。そのため、巻き取る前にしばらく放置して自然冷却している。従来、その目的でゴムホース製造工場では、床の上に直線状に並べるか、そのまま巻き取っていた。ゴムホースの製造に関する一般的な技術は、たとえば特開２０１１−６８０１７、特開２００２−１３０５４９、特開２００４−１３０６４５の各公報に示されている。
【発明の概要】
【発明が解決しようとする課題】
【０００３】
工場の床面積の有効利用するために、ゴムホースを安全経済的に収容保管する装置が望まれていたが、適当なものが見あたらなかった。上記特許文献もそのような技術を開示していない。本発明はそのような装置を提供することを目的とする。
【課題を解決するための手段】
【０００４】
本発明は、第一の見地では、中空六角柱の複数のセルを備え、その各セルの中に長尺物を収容可能なブロックを１単位として、複数の前記単位を上下左右に複数個設置してなる収容棚であって、前記各ブロックは上下方向に分割可能であることを特徴とする（請求項１）。
【０００５】
第二の見地では、本発明は、複数の波板（角波、丸波）を波底同士が接触するように重ねて設置してなる収容棚であって、上下に広がった波板の波頭同士により中空アーモンド型または六角型の複数のセルが形成されており、この各セルの中に長尺物を収容可能であることを特徴とする（請求項５）。
【発明の効果】
【０００６】
本発明によれば、中空六角柱の複数のセル又は中空アーモンド型の複数のセルの中に長尺物が収容可能である。中空六角柱の複数のセルからなる構造体はハニカム構造であって、きわめて強固であるので、上下左右に伸ばしていくことができ、長尺物の収容棚として適当である。
【０００７】
波板の複数のセルの場合は、波板の波底を重ねるだけで形成可能であり、安価に制作可能であると共に、接触点が多いのできわめて強固である。波板の成型金型を現地へ持ち込み成型すれば、数十ｍ、数百ｍの１枚板の棚板の製作も可能である。
【発明を実施するための形態】
【０００８】
中空六角柱の複数のセルを備え、その各セルの中に長尺物を収容可能なブロックを１単位として形成するとき、前記各ブロックは、上方を開放した本体と、その本体を塞ぐ蓋の２部品から形成することができる。その際、前記蓋は、最上段ブロックにおいては波板状の蓋からなり、２段目以下は直近上段のブロックの底部が事実上の蓋とすることができる（請求項２）。別法として、各ブロックは上下に正確に２分割され、つなぎ目に抜け止めを有するものとすることもできる（請求項３）。このように分割形成することにより成形が容易となると共に、表面処理アルマイト加工が内外部とも可能になる。
【０００９】
好ましくは、前記ブロックを横方向に並べたとき、前記ブロックの左右端のセル壁の幅をそれ以外のセル壁の幅よりも短くしておき、隣り合うセルの中央から測定したセル間の距離はどこから測定しても同じになるようにする（請求項４）。このようにすることにより、長尺物を機械で正確に挿入するときに挿入位置に誤差が生じないようになる。
【００１０】
以下、本発明の実施形態を添付図面に基づき具体的に説明する。
【図面の簡単な説明】
【００１１】
【図１】ゴムホース収容棚の正面図である（実施例１）。
【図２】図１の１区画の拡大正面図である（実施例１）。
【図３】ゴムホース収容棚を構成する、複数セルからなる１ブロックを示す斜視図である（実施例１）。
【図４】図３の１ブロックの正面図であり、（ａ）は組み立て前、（ｂ）は組み立て後である（実施例１）。
【図５】実施例２に係る１区画の拡大正面図である。
【図６】複数セルからなる１ブロックを示す斜視図である（実施例２）。
【図７】実施例２に係る１ブロックの正面図であり、（ａ）は組み立て前、（ｂ）は組み立て後である。
【図８】実施例３に係る１区画の拡大正面図である。
【図９】複数セルからなる１ブロックを示す斜視図である（実施例３）。
【図１０】実施例３に係る１ブロックの正面図であり、（ａ）は組み立て前、（ｂ）は組み立て後である。
【図１１】実施例４に係る１ブロックの組み立て後の正面図である。
【実施例１】
【００１２】
ゴムホース製造工場で保管する成形直後のゴムは１製品の長さが普通数十ｍにも達し、太さにも数種類ある。このゴムホースをしばらくの間保管するため図１に示すような収容棚１を使用することができる。
【００１３】
この収容棚１は、図１に示す例では３段になっており、ゴムホースを収容するのは２段目と３段目である。全体の高さが約２ｍであり、奥行き（長手方向）はゴムホースの長さに合わせて必要な長さに設定される。
【００１４】
この実施例では、各段は壁１２、底１３、天井１４により６区画に区切られており、そのうちの１区画１１の拡大図を図２に示す。この図から明らかなように各区間の中には多数のセル２が設けられており、全体でハニカム構造体を構成している。ゴムホースＨが収容されるのは、図３に示すように六角柱の各セル２の中である。１区画は、図１、２に示す例では、幅方向に２０個、高さ方向に２０個、合計４００個のセル２が設けられている。なお、製造物や製造工程に合わせて、装置全体の配置、棚板の段数、ブロック数、セル数が自由に選定出来るのはもちろんである。
【００１５】
各セル２について、図４に基づき、説明する。各セル２はどのような材料で成形してもよいが、やや複雑な構造である六角柱セルを多数成形するにはアルミニウム押出し成形部品とすることが好ましい。また、各セルを１つずつ成形してもよいが、複数個を１単位としてブロック成形するのが効率的かつ経済的である。図４では、４個のセルを１ブロック３としている。１ブロックの長さは数ｍである。
【００１６】
ブロックは小区分されているとはいえ、数ｍもあるので完成体としては成形が困難である。そこで、図４（ａ）に示すように、４セルからなる１ブロック３は、本体３１と蓋３２の２部品から構成されている。
【００１７】
左端のセル２１本体は、断面六角形の右肩辺が右端２１１を残して欠損している。左端から２番目のセル２２本体は、断面六角形の上部が左肩辺の左半分２２１及び右肩辺の右半分２２２を残して欠損している。左端から３番目のセル本体も、上部が左肩辺の左半分２３１及び右肩辺の右半分２３２を残して欠損している。右端のセル２４本体は、断面六角形の左肩辺が左端２４１を残して欠損している。
【００１８】
蓋３２は、１ブロック全部を覆う１枚の波形板である。中央部の波底３個所３２１，３２２，３２３が本体各セルのつなぎ目の凹部（矢印）に密着する。蓋３２の両端３２４、３２５は本体左端セル２１の左肩辺２１２及び右端セル２４の右肩辺２４２に重なって密着する。密着はするが、両者を物理的又は化学的に連結する必要はなく、単に重ねるだけで十分である。なお、図４（ａ）に示す形状の蓋３２は、最上段ブロックのみに必要なものであり、２段目以下のブロックでは図３に示すように、直近上段のブロック底部が事実上の蓋３５となる。
【００１９】
各ブロック同士３も物理的又は化学的に連結する必要はなく、単に並べたり重ね置きするだけで十分である。ただし、各区間壁１２、底部１３及び天井１４に対しては隙間をなくすようにゴム片などを挟んでしっかり密着させるのが強度上好ましい。
【００２０】
ブロック３を横方向に並べたとき、あるブロックの左端のセル左辺と隣のブロックの右端の右辺が重なり二重の厚みとなる。ゴムホースＨを機械で正確に挿入するときに挿入位置に誤差が生じないように予めブロックの左右端のセルの幅は、中央のセル２個よりもセルの厚み１つ分だけ短くしておくことが好ましい。すなわち、１区画の中で隣り合うセルの中央から測定したセル間の距離はどこから測定しても同じになるようにすることが好ましい。
【００２１】
ブロック３を長手方向に繋ぐとき、各ブロック３の継ぎ目に段差がわずかではあるが生ずる可能性がある。この段差がゴムホースＨを傷つけないようにするため、及び、セル２とゴムホースＨの一般的な接触によりゴムホースが傷つかないようにするため、各セルには内部壁に沿って保護フィルム（図示せず）を設置する。
【００２２】
この収容棚１の使用法は上記説明から明らかなように、各セル２に対して、成形直後のゴムホースＨを挿入し、その中で必要な硬化期間保管させるのである。その後ゴムホースを抜き取って次の工程に進めたり、巻き取ったりする。
【実施例２】
【００２３】
図５〜７は実施例２の収容棚に関する。実施例１との相違点は、次のとおりである。
【００２４】
（１）各ブロックが４個ではなく、図６に示すように、５個の六角柱セルからなっている。各ブロックを構成するセルの数は、実施例１、２を通じて、全体の装置の大きさや各セルの大きさに応じてたとえば３〜２０個程度とすることができる。
【００２５】
（２）各ブロックは蓋と本体からなるというよりは、図７に示すように、上下に正確に２分割されたブロック３１Ａ，３２Ａからなる。重ねたときに正確に六角形となるように、各六角形の左右壁片には係合用の抜け止め３３Ａ、３４Ａが形成されている。また、この係合部同士には相補的な凹凸（図示せず）を設けて、上下部分が係合したときこの凹凸部も係合して抜け止めとなるようにすることが好ましい。この実施例は２分割された同一形状のブロックを逆向きに組み合わせるのであるから、１種類のブロックで済むという長所がある。
【００２６】
その他の点は実施例１と同様であり、同じ部品には実施例１の符号に「Ａ」を付して説明を省略する。
【実施例３】
【００２７】
図８〜１０は実施例３の収容棚に関する。実施例１との相違点は、次のとおりである。
【００２８】
（１）各セルが六角柱ではなく、波板４を重ねることにより形成される楕円型である。
【００２９】
（２）複数セルからなるブロックを使用せず、波底４１同士が接触するように、波板を重ね、上下に広がった波板の波頭４２同士により中空アーモンド型の複数のセル２Ｂが形成される。この各セル２Ｂの中にゴムホースＨを収容する。
【実施例４】
【００３０】
図１１は実施例４の収容棚に関する。実施例３との相違点は、次のとおりである。
【００３１】
（１）各セルが六角柱ではなく、角波板４Ａを重ねることにより形成される凹凸型である。
【００３２】
（２）複数セルからなるブロックを使用せず、波底４１Ａ同士が接触するように、波板を重ね、上下に広がった波板の波頭４２Ａ同士により中空四角柱型の複数のセル２Ｃが形成される。この各セル２Ｃの中にゴムホースＨを収容する。
【産業上の利用可能性】
【００３３】
本発明で使用する中空六角柱の複数のセルは長尺物の一時収容棚としての用途だけでなく、その内部に吸音、防塵、空気清浄材等を詰めて、防音装置、防塵フィルター空気清浄装置としての用途に使うこともできる。
【先行技術文献】
【特許文献】
【００３４】
【特許文献１】特開２０１１−６８０１７
【特許文献２】特開２００２−１３０５４９
【特許文献３】特開２００４−１３０６４５
【符号の説明】
【００３５】
１     収容棚
１１     区画
１２     壁
１３     底
１３     底部
１４     天井
２，２Ａ，２Ｂ       セル
３，３Ａ      ブロック
３１          本体
３２          蓋
３１Ａ，３２Ａ         分割ブロック
３３Ａ、３４Ａ    抜け止め
３５   事実上の蓋（ブロック底部）
４     波板
４１     波底
４２  波頭
Ｈ     長尺物（ゴムホース）
【図１】
2013047127.tif 000003
【図２】
2013047127.tif 000004
【図３】
2013047127.tif 000005
【図４】
2013047127.tif 000006
【図５】
2013047127.tif 000007
【図６】
2013047127.tif 000008
【図７】
2013047127.tif 000009
【図８】
2013047127.tif 000010
【図９】
2013047127.tif 000011
【図１０】
2013047127.tif 000012
【図１１】
2013047127.tif 000013